(57)【要約】      （修正有）【課題】第１回路板と第２回路板とを接続可能なフローティングコネクタを提供する。【解決手段】フローティングコネクタ１０は、雌側１２と、雄側１４とを備える。雌側１２には、第１回路板と接続され、及び環状空間が形成されることで、雄側１４に形成される差込部材を垂直に差し込んでから、雌側１２内に設置される第１端子１２８が雄側１４内に設置される第２端子１４６と接触することにより、第１回路板と第２回路板とを電気的に接続することができる。なお、雌側１２は、フローティング構造を提供することで、雌側１２と雄側１４とを結合するとき、フローティング接続効果を持たせることができる。そのうえ、フローティングコネクタ１０は、薄型化の必要なコネクタの応用分野にも適用できる。【選択図】図１
0003230169.tif 000002
【実用新案登録請求の範囲】
【請求項１】
第１回路板と第２回路板とを接続するためのフローティングコネクタであって、
接触部材、第１固定部材、筐体及び第１端子を有する雌側と、第１本体、第２固定部材及び第２端子を有する雄側とを備え、
前記接触部材は、前記第１固定部材と結合されて前記第１固定部材にて位置制限され、
前記第１端子の一端は、前記接触部材に差し込まれ、かつ前記接触部材の前縁表面から突出し、また、前記第１端子の他端は、前記第１回路板を接続するために供され、
前記第１固定部材は、前記第１回路板に設置されるために供され、
前記筐体には、前記接触部材と前記第１固定部材とが結合され、
前記接触部材は、環状空間が形成されているＯ字状体であり、
前記第１本体は、前記第２固定部材と結合され、
前記第２端子の一端は、前記第１本体に差し込まれ、かつ前記第１本体の差込面に沿って設置され、また、前記第２端子の他端は、前記第２回路板を接続するために供され、
前記第２固定部材は、前記第２回路板に設置されるために供され、
前記第１本体には、Ｃ字状体であると共に、差込部材が形成され、また、前記差込面は、前記差込部材の外表面に形成され、前記第１本体の前記差込面は、前記接触部材の前縁表面と平行であり、
前記第１本体の前記差込面を一方向向きに前記環状空間に向けて移動させることで、前記差込部材を前記環状空間に差し込んでから、前記第１端子の前記一端が前記第２端子の前記一端と接触することにより、前記第１回路板と前記第２回路板とを電気的に接続するために供されることを特徴とする、フローティングコネクタ。
【請求項２】
前記接触部材は、第２本体と、伸長塊と、補強リブと、第１開孔とをさらに含み、
前記第２本体は、環状空間に形成され、かつ前記環状空間の一側は、前記接触部材の前縁表面であり、
前記伸長塊は、前記第２本体と接続され、かつ前記第２本体の両側にそれぞれ設置され、
前記補強リブは、前記環状空間に形成され、
前記第１開孔は、前記第１端子の前記一端が突出するように、前記接触部材の前縁表面に形成され、
前記第１固定部材には、前記伸長塊を収容するフローティング空間収容室が形成され、前記伸長塊と前記第１固定部材の内壁との間は、互いに間隙を隔てて配置されることで、前記伸長塊を前記フローティング空間収容室において前記間隙を介してフローティングするために供されることを特徴とする、請求項１に記載のフローティングコネクタ。
【請求項３】
前記第１端子は、第１接続部と、弾性部と、第１接触部とをさらに含み、
前記弾性部は、前記第１接触部と前記第１接続部との間に設置され、
前記第１接触部は、前記第２端子の前記一端と電気的に接触され、
前記第１接続部は、前記第１回路板を接続するために供されることを特徴とする、請求項１に記載のフローティングコネクタ。
【請求項４】
前記第１本体は、開口と、第２開孔とをさらに含み、
前記開口は、前記第２固定部材を設置するために、前記第１本体の両側に形成され、
前記第２開孔は、前記第２端子の前記一端が突出するように、前記差込面に形成されることを特徴とする、請求項１に記載のフローティングコネクタ。
【請求項５】
前記第１本体は、前記差込部材の内表面に形成される係合点をさらに含み、
前記環状空間には、凹溝が形成され、
前記係合点は、前記凹溝に対応して設置され、前記差込部材の内表面が前記環状空間に接触した後、前記係合点が前記凹溝に陥入されることにより、前記差込部材を前記環状空間に係止させることを特徴とする、請求項１に記載のフローティングコネクタ。
【請求項６】
前記第１本体は、前記差込部材の外表面に形成される位置決め溝をさらに含み、
前記接触部材は、補強リブをさらに含み、
前記位置決め溝は、前記補強リブに対応して設置され、前記位置決め溝と前記補強リブとの結合により、前記差込面を前記環状空間に固定させることを特徴とする、請求項１に記載のフローティングコネクタ。
【考案の詳細な説明】
【技術分野】
【０００１】
本考案は、コネクタの技術分野に関し、特に、直下型接続を持つフローティングコネクタに関するものである。
【背景技術】
【０００２】
伝統的なコネクタが薄型化された電子製品において適用される場合には、常に、厚さが原因で組立難度を増すことになり、かつ組立過程において、損傷や破壊を発生しやすいという問題点がある。
【考案の概要】
【考案が解決しようとする課題】
【０００３】
これに鑑み、本考案は、薄型化された電子製品において適用されるフローティングコネクタを提案する。
【０００４】
本考案の第１目的は、第１回路板に位置する雌側と、第２回路板に位置する雄側とを接続可能なフローティングコネクタを提供することにある。
【０００５】
本考案の第２目的は、前述のフローティングコネクタにおいて、雄側の差込部材が差し込まれるように、雌側に環状空間を提供するものを提供することにある。
【０００６】
本考案の第３目的は、前述のフローティングコネクタにおいて、雄側における差込部材の差込面に端子が設置されることで、前述の差込部材に平行に設置される雌側の接触部材の前縁表面の端子と接触して電気的な接続を行うものを提供することにある。
【０００７】
本考案の第４目的は、前述のフローティングコネクタにおいて、差込部材と環状空間とに間隙を有することにより、雄側と雌側とを容易に組み立てることを達成することにある。
【０００８】
本考案の第５目的は、前述のフローティングコネクタにおいて、差込部材は、係合点を提供し、環状空間には、凹溝が形成され、係合点は、凹溝に対応して設置され、係合点が凹溝に作用した後、差込部材を環状空間に係止させるものを提供することにある。
【０００９】
本考案の第６目的は、前述のフローティングコネクタにおいて、雌側は、伸長塊と、フローティング空間収容室を有する固定部材を提供し、伸長塊と固定部材の内壁との間は、互いに間隙を隔てて配置されることで、伸長塊がフローティング空間収容室において間隙を介してフローティング可能となるものを提供することにある。
【００１０】
本考案の第７目的は、前述のフローティングコネクタにおいて、雌側の端子は、弾性力を持ち、雄側と雌側とを結合した後、雌側の端子は、差込面に押し当てる弾力を提供することで、差込部材を環状空間に安定的に固定することができるものを提供することにある。
【００１１】
本考案の第８目的は、前述のフローティングコネクタにおいて、差込部材の外表面に形成される位置決め溝をさらに含み、接触部材は、補強リブをさらに含み、位置決め溝は、補強リブに対応して設置され、位置決め溝と補強リブとの結合により、環状空間の構造を強化して変形のおそれをなくすものを提供することにある。
【課題を解決するための手段】
【００１２】
上記の目的と他の目的を達成するために、本考案は、第１回路板と第２回路板とを接続可能なフローティングコネクタを提供する。フローティングコネクタは、雌側と、雄側とを備える。雌側は、接触部材と、第１固定部材と、筐体と、第１端子とを有する。接触部材は、第１固定部材と結合されて第１固定部材にて位置制限される。第１端子の一端は、接触部材に差し込まれ、かつ接触部材の前縁表面から突出し、また、第１端子の他端は、第１回路板と接続可能とされる。第１固定部材は、第１回路板に設置可能である。筐体には、接触部材と第１固定部材とが結合される。接触部材は、環状空間が形成されているＯ字状体である。雄側は、第１本体と、第２固定部材と、第２端子とを有する。第１本体は、第２固定部材と結合される。第２端子の一端は、第１本体に差し込まれ、かつ第１本体の差込面に沿って設置され、また、第２端子の他端は、第２回路板と接続可能とされる。第２固定部材は、第２回路板に設置可能である。第１本体には、Ｃ字状体であると共に、差込部材が形成され、また、差込面は、差込部材の外表面に形成される。その内、第１本体の差込面は、接触部材の前縁表面と平行である。その内、第１本体の差込面を一方向向きに環状空間に向けて移動させることで、第１本体の差込部材を環状空間に差し込んでから、第１端子の前記一端が第２端子の前記一端と接触することにより、第１回路板と第２回路板とを電気的に接続可能である。
【考案の効果】
【００１３】
従来の技術に比べて、本考案は、薄型化のコネクタとすることが可能なフローティングコネクタを提供し、特に例えば、表示スクリーン基板やバックライトモジュールなどの分野に応用されるものを提供することができる。
【図面の簡単な説明】
【００１４】
【図１】本考案の第１実施形態のフローティングコネクタの構造模式図である。
【図２】本考案の図１のフローティングコネクタと回路板との結合を説明する使用態様図である。
【図３】本考案の図１の雌側を説明する構造模式図である。
【図４】（ａ）〜（ｄ）は、本考案の図１の雌側の各エレメントを説明する詳細構造図である。
【図５】本考案の図１の雄側を説明する構造模式図である。
【図６】（ａ）〜（ｄ）は、本考案の図１の雄側の各エレメントを説明する詳細構造図である。
【図７】本考案の図１の差込部材を環状空間に係止する状態を説明する断面模式図である。
【図８】本考案の図１の第１端子と第２端子との接続を説明する模式図である。
【図９】図１の差込部材を環状空間に差し込んだ状態を説明する上面図である。
【図１０】（ａ）,（ｂ）は、本考案の図４（ａ）と図４（ｂ）の伸長塊及びフローティング空間収容室を説明する空間模式図である。
【考案を実施するための形態】
【００１５】
本考案の目的、特徴及び効果を十分に理解してもらうため、ここで、添付の図面を参照して、下記の具体的な実施形態により、後述のように本考案を詳細に説明する。
【００１６】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１７】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１８】
＜第１実施形態＞
本考案の第１実施形態のフローティングコネクタの構造模式図である図１を参照する。図１において、フローティングコネクタ１０は、図２のように、第１回路板２と第２回路板４とを接続可能とするものである。図２は、本考案の図１のフローティングコネクタと回路板との結合を説明する使用態様図である。
【００１９】
図１と図２において、フローティングコネクタ１０は、雌側１２と、雄側１４とを備える。図２において、雄側１４を、直下方式（例えば、図２の図面でのＹ軸方向）で雌側１２に差し込むことを表示している。
【００２０】
図３〜図４を併せて参照する。図３は、本考案の図１の雌側を説明する構造模式図である。また、図４（ａ）〜図４（ｄ）を含む図４は、本考案の図１の雌側の各エレメントを説明する詳細構造図である。図３において、雌側１２は、接触部材１２２と、第１固定部材１２４と、筐体１２６と、第１端子１２８とを有する。
【００２１】
接触部材１２２は、第１固定部材１２４と結合可能とされて第１固定部材１２４にて位置制限される。ここでは、接触部材１２２は、環状空間ＳＰが形成されているＯ字状体である。図４（ａ）において、接触部材１２２は、第２本体１２２２と、伸長塊１２２４と、補強リブ１２２６と、第１開孔１２２８とをさらに含む。第２本体１２２２は、環状空間ＳＰに形成され、かつ環状空間ＳＰの一側は、接触部材１２２の前縁表面である。伸長塊１２２４は、第２本体１２２２と接続され、かつ第２本体１２２２の両側にそれぞれ設置される。補強リブ１２２６は、環状空間ＳＰに形成される。第１開孔１２２８は、第１端子１２８の一端が突出するように、接触部材１２２の前縁表面に形成される。
【００２２】
第１端子１２８の一端は、接触部材１２２に差し込まれ、かつ接触部材１２２の前縁表面（すなわち、環状空間ＳＰに位置する内壁）から突出し、また、第１端子１２８の他端は、第１回路板２と接続可能とされる。図４（ｄ）において、第１端子１２８は、第１接続部１２８２と、弾性部１２８４と、第１接触部１２８６（すなわち、前段落に述べた第１端子１２８の第１開孔１２２８から突出する一端）とをさらに含む。弾性部１２８４は、第１接触部１２８６と第１接続部１２８２との間に設置される。第１接触部１２８６は、第２端子１４６（図６（ｄ）を参照）の第２接触部１４６６と電気的に接触可能とされ、及び第１接続部１２８２は、第１回路板２と接続可能とされる。注意に値することは、前述の弾性部１２８４の作用は、第１接触部１２８６による当接押圧を受けて変形を生じることができる点であり、または弾性部１２８４に後に言及する差込部材に位置する差込面ＩＦに押し当てる弾力を提供することで、差込部材を環状空間ＳＰに安定的に固定できることになる点である。
【００２３】
第１固定部材１２４は、第１回路板２に設置可能である。本実施形態において、第１固定部材１２４の個数については、２個を例として説明する。図４（ｂ）を参照して、第１固定部材１２４には、伸長塊１２２４を収容するフローティング空間収容室ＦＳＰが形成される。伸長塊１２２４と第１固定部材１２４の内壁との間は、互いに間隙を隔てて配置されることで、伸長塊１２２４がフローティング空間収容室ＦＳＰにおいて間隙を介してフローティング可能となることについては、本考案の図４（ａ）と図４（ｂ）の伸長塊及びフローティング空間収容室を説明する空間模式図である図１０（ａ）と図１０（ｂ）を併せて参照することができる。図１０（ａ）と図１０（ｂ）には、伸長塊１２２４は、図３の図面でのＸ軸方向とＹ軸方向とで形成されるＸ−Ｙ平面内において移動することができることを意味し、これにより、接触部材１２２にフローティング効果を持たせる。
【００２４】
図４（ａ）〜図４（ｃ）を併せて参照する。筐体１２６には、接触部材１２２と第１固定部材１２４とが結合される。
【００２５】
図５〜図６を併せて参照する。図５は、本考案の図１の雄側を説明する構造模式図である。また、図６（ａ）〜図６（ｄ）を含む図６は、本考案の図１の雄側の各エレメントを説明する詳細構造図である。その内、図６（ａ）は第１本体の上面図であり、図６（ｂ）は第１本体の前面図であり、及び図６（ｃ）は第１本体の側面図である。
【００２６】
図５において、雄側１４は、第１本体１４２と、第２固定部材１４４と、第２端子１４６とを有する。
【００２７】
第１本体１４２は、第２固定部材１４４と結合される。その内、第１本体１４２は、Ｃ字状体であると共に、前縁に差込部材（すなわち、第１本体１４２の差込面ＩＦが形成される部分）が形成され、差込面ＩＦは、差込部材の外表面に形成される。注意に値することは、第１本体１４２の差込面ＩＦは、接触部材１２２の前縁表面と平行である。
【００２８】
一実施形態において、差込部材を環状空間ＳＰに差し込んだ後、差込部材と接触部材１２２とで形成される環状空間ＳＰの内壁とには、互いに間隙を隔てて配置されることで、差込部材を環状空間ＳＰに円滑に差し込むことができることについては、図１の差込部材を環状空間に差し込んだ状態を説明する上面図である図９を併せて参照することができる。注意に値することは、環状空間ＳＰには、面取り角構造を形成してもよく、差込部材を環状空間ＳＰ中により円滑に差し込んだり、滑り込んだりするように供し得る点である。
【００２９】
図６（ａ）と図６（ｂ）において、第１本体１４２は、開口１４２２と、第２開孔１４２８とをさらに含む。開口１４２２は、第２固定部材１４４を設置するために、第１本体１４２の両側に形成され、及び第２開孔１４２８は、第２端子１４６の一端（後に言及する第２接触部１４６６）が突出するように、差込面ＩＦに形成される。
【００３０】
第１本体１４２は、差込部材の外表面に形成される位置決め溝１４２４をさらに含む。他の実施形態において、前述の接触部材１２２に合わせられる補強リブ１２２６については、図４（ａ）を併せて参照することができる。位置決め溝１４２４は、補強リブ１２２６に対応して設置され、位置決め溝１４２４と補強リブ１２２６との結合により、差込面ＩＦを環状空間ＳＰに固定させる。
【００３１】
図６（ｃ）において、第１本体１４２は、差込部材の内表面に形成される係合点１４２６をさらに含む。他の実施形態において、前述の環状空間ＳＰには、凹溝が形成されてもよく（未図示）、このことにより、係合点１４２６は、凹溝に対応させて設置され、差込部材の内表面が環状空間ＳＰに接触した後、係合点１４２６が凹溝に陥入されることにより、差込部材を環状空間ＳＰに係止させることについては、本考案の図１の差込部材を環状空間に係止する状態を説明する断面模式図である図７を併せて参照することができる。
【００３２】
第２端子１４６の一端は、第１本体１４２に差し込まれ、かつ第１本体１４２の差込面ＩＦに沿って設置され、また、第２端子１４６の他端は、第２回路板４と接続可能とされる。本考案の図５の第２端子を説明する構造模式図である図６（ｄ）を併せて参照する。図６（ｄ）において、第２端子１４６は、第２接続部１４６２と、第２接触部１４６６とをさらに含む。第２接続部１４６２は、第２接触部１４６６と接続される。第２接触部１４６６は、第１接触部１２８６と電気的に接触可能とされ、及び第２接続部１４６２は、第２回路４と接続される。第１端子１２８と第２端子１４６との接続については、本考案の図１の第１端子と第２端子との接続を説明する模式図である図８を併せて参照することができる。
【００３３】
第２固定部材１４４は、第２回路板４に設置可能である。
【００３４】
上方に位置する第１本体１４２の差込面ＩＦを一方向向きに（例えば、図２の図面でのＹ軸方向）下方の環状空間ＳＰに向けて移動させるとき、第１本体１４２の差込部材を環状空間ＳＰに差し込んでから、第１端子１２８の第１接触部１２８６が第２端子１４６の第２接触部１４６６と接触することにより、第１回路板２と第２回路板４とを電気的に接続することができる。
【符号の説明】
【００３５】
２…第１回路板
４…第２回路板
１０…フローティングコネクタ
１２…雌側
１２２…接触部材
１２２２…第２本体
１２２４…伸長塊
１２２６…補強リブ
１２２８…第１開孔
１２４…第１固定部材
１２６…筐体
１２８…第１端子
１２８２…第１接続部
１２８４…弾性部
１２８６…第１接触部
１４…雄側
１４２…第１本体
１４２２…開口
１４２４…位置決め溝
１４２６…係合点
１４２８…第２開孔
１４４…第２固定部材
１４６…第２端子
１４６２…第２接続部
１４６６…第２接触部
ＳＰ…環状空間
ＩＦ…差込面
ＦＳＰ…フローティング空間収容室
【図１】
0003230169.tif 000003
【図２】
0003230169.tif 000004
【図３】
0003230169.tif 000005
【図４】
0003230169.tif 000006
【図５】
0003230169.tif 000007
【図６】
0003230169.tif 000008
【図７】
0003230169.tif 000009
【図８】
0003230169.tif 000010
【図９】
0003230169.tif 000011
【図１０】
0003230169.tif 000012